(57)【要約】【課題】ガスメータの配管に自動検針用の通信端末装置などの付属機器を取り付ける場合、容易に取り付けることができる機器取付装置を提供する。【解決手段】自動検針用の通信端末機器を取り付けるための取付板と、取付板をガスメータの配管に保持するための一対の挟持片を有し、取付板に着脱自在な保持具とを備え、取付板には、長孔状の２条の装着孔を形成し、この装着孔に保持具の挟持片を嵌合して配管への保持位置に合わせて保持具を移動可能に案内し、保持具を装着孔に装着した状態で保持具を位置決めする位置決め手段を設け、この位置決め手段を、２条の装着孔間に配列形成された複数列の嵌合孔と、保持具側において一対の挟持片の間に形成された突起とから構成し、選択された嵌合孔に保持具側の突起を嵌合することにより、保持具を取付板に対して容易に位置決め固定することができる。【選択図】  図１
2011232240.tif 000002
【特許請求の範囲】
【請求項１】
機器を取り付けるための取付板と、前記取付板を被保持体に保持するための保持部を有して前記取付板に着脱自在に設けれられた保持具とを備え、
前記取付板には、前記保持具の一部を嵌合して被保持体への保持位置に合わせて保持具を移動可能に案内する長孔状の装着孔が形成され、前記保持具を装着孔に装着した状態で前記保持具を位置決めする位置決め手段が設けられたことを特徴とする機器取付装置。
【請求項２】
前記位置決め手段は、嵌合孔と該嵌合孔に嵌合可能な突起とから構成され、前記嵌合孔および突起のうちいずれか一方が前記保持具に形成され、他方が前記取付板の装着孔に沿って複数個間隔をおいて配列されたことを特徴とする請求項１に記載の機器取付装置。
【請求項３】
前記保持具は、基部と、該基部から突出する一対の挟持片からなる保持部とを備え、前記一対の挟持片が、間隔をおいて形成された２条の装着孔に取付板の表面側から嵌合して、裏面側に突出可能とされたことを特徴とする請求項１または２に記載の機器取付装置。
【請求項４】
基部の挟持片の突出面とは反対側に一対の係止爪が突出形成され、該係止爪が取付板の裏面側から前記２条の装着孔に係脱可能に係止されることを特徴とする請求項３に記載の機器取付装置。
【請求項５】
前記取付板側に設けられる位置決め手段の嵌合孔及び突起のうちの一方が前記２条の装着孔の間に形成され、保持具側に形成される嵌合孔および突起のうちの他方が前記基部の挟持片間に形成されたことを特徴とする請求項１または２に記載の機器取付装置。
【請求項６】
前記取付板の２条の装着孔の間に位置決め手段を構成する複数の嵌合孔が配列され、前記保持具の基部のうち、一対の挟持片間に前記嵌合孔に嵌合可能な位置決め手段としての第1の突起が形成され、さらに、前記基部の係止爪間に前記嵌合孔に嵌合可能な別の位置決め手段としての第２の突起が形成されたことを特徴とする請求項４または５に記載の機器取付装置。
【請求項７】
前記装着孔は、取付板の左右両側および上下両側のうち、少なくとも2箇所に形成され、前記保持具は前記各装着孔に装着可能に複数個設けられたことを特徴とする請求項１〜６のいずれかに記載の機器取付装置。
【請求項８】
前記取付板の装着孔に相応する前記取付板の外縁部の一部に前記被保持体の外形に沿う凹状に形成されたことを特徴とする請求項１〜７のいずれかに記載の機器取付装置。
【請求項９】
前記被保持体が長尺物であることを特徴とする請求項１〜８のいずれかに記載の機器取付装置。
【請求項１０】
前記被保持体がガスメータの配管であり、前記機器が前記配管に取付るための付属機器であることを特徴とする請求項９に記載の機器取付装置。
【発明の詳細な説明】
【技術分野】
【０００１】
本発明は、例えば、ガスメータの検針などを行う自動検針用の通信端末装置などの付属機器を、ガスメータの配管に取り付けるために使用される機器取付装置に関するものである。
【背景技術】
【０００２】
各家庭のガス流量の検針や、災害時のガスメータの緊急遮断や復旧時の復帰操作を電話回線や無線を介して、管理センターで行うガスメータ遠隔管理システムが普及している。
この管理システムにおいては、ガスメータと管理センターとの間で、信号の送受を行うために通信端末装置が必要である。通常、通信端末装置は、ガスメータ近傍の家屋などの建物の壁面に設置されている。
【０００３】
しかしながら、建物の壁面に通信端末装置を設置すると、当然のことながら壁面に穴をあけてしまうことになる。また、通信端末装置の設置時の状態だけでなく、取り外した後、壁面には、通信端末装置の設置跡が残るなど、美観上の問題があった。
【０００４】
特許文献１では、メータ口金に外嵌される固定環と、固定環に設けられた機器取付片とを備える機器取付装置を設け、ガス管に支持固定されるガスメータの口金に機器取付装置の固定環を外嵌して強固に固定する構造が開示されている。
【０００５】
また、特許文献２、３には、一つまたは二つのクランプ部材により、パネルの両面に配管された管状体をクランプする構造が提案されている。
【先行技術文献】
【特許文献】
【０００６】
【特許文献１】実用新案第３０６２０２６号公報
【特許文献２】特開平７−２０８６５２号公報
【特許文献３】実開昭６２−１５１４８９号公報
【発明の概要】
【発明が解決しようとする課題】
【０００７】
ところで、特許文献１の機器取付装置では、ガスメータに付属機器を取り付けることができるが、すでに配管工事がなされた後に付属機器を取り付ける場合や移設時には、固定環をガスメータの口金に外嵌するため、ガスメータへの配管を取り外す必要があった。
【０００８】
また、特許文献２や特許文献３には配管のクランプ構造が提案されているが、パネルと配管を同時に保持しようとした場合、クランプの装着作業性に難があり、予めパネルにクランプを装着してから配管に固定しようとした場合には、配管に対するクランプの位置合わせが難しいなど、その作業性に問題があった。
【０００９】
このような問題は、ガスメータの配管に自動検針用の通信端末装置などの付属機器を取り付ける場合のみならず、広く種々の機器の取り付け全般において、取付板を被保持体に簡単に位置合わせができ、容易に取り付けることができる機器取付装置の出現が望まれていた。
【００１０】
本発明は、上記に鑑み、機器を被保持体に容易に取り付けることができる機器取付装置の提供を目的としている。
【課題を解決するための手段】
【００１１】
上記目的を達成するため、本発明は、機器を取り付けるための取付板と、前記取付板を被保持体に保持するための保持部を有して前記取付板に着脱自在に設けれられた保持具とを備え、前記取付板には、前記保持具の一部を嵌合して被保持体への保持位置に合わせて保持具を移動可能に案内する長孔状の装着孔が形成され、前記保持具を装着孔に装着した状態で前記保持具を位置決めする位置決め手段が設けられている。
【００１２】
上記構成によると、取付板の長孔状の装着孔に、被保持体の保持位置に合わせて移動可能に保持具の一部を嵌合し、位置決め手段により保持具を位置決めし、取付板に通信端末装置などの機器を取り付ければ、被保持体に機器を容易に取り付けることができる。この際、取付板の装着孔を長孔状に形成し、保持具の装着位置に自由度を持たせているので、いろいろな位置に合わせて取付板を取り付けることができ、取付性を高めることができる。
【００１３】
この場合の位置決め手段は、嵌合孔と該嵌合孔に嵌合可能な突起とから構成し、嵌合孔および突起のうちいずれか一方を前記保持具に形成し、他方を取付板の装着孔に沿って複数個間隔をおいて配列することができる。
【００１４】
上記構成によると、複数個の嵌合孔と突起という簡単な構成により、長孔状の装着孔に沿って保持具を位置決めすることができる。
【００１５】
ここで、保持具は、基部と、該基部から突出する一対の挟持片からなる保持部とを備え、前記挟持片が、間隔をおいて形成された２条の装着孔に取付板の表面側から嵌合して、裏面側に突出可能とされた構成を採用することができる。
【００１６】
上記構成によると、一対の挟持片を取付板の表側から２条の装着孔を通して裏面側に突出させ、一対の挟持片により被保持体に挟持することができるので、取付保持作業が容易に行うことができる。また、一対の挟持片を装着孔に挿入するので、保持具自体が取付板に対して回転不能となり、保持具を安定して取り付けることができる。
【００１７】
また、基部の挟持片の突出面とは反対側に一対の係止爪を突出形成し、該係止爪を取付板の裏面側から２条の装着孔に係脱可能に係止することができる。これにより、機器を配管等の被保持体から離した位置に取り付けることができ、障害物があったり、無線による通信端末装置で配管等の被保持体から離した位置に取り付けたい場合などにも有効である。
【００１８】
また、取付板側に設けられる位置決め手段の嵌合孔及び突起のうちの一方を前記２条の装着孔間に形成し、保持具側に形成される嵌合孔および突起のうちの他方を前記基部の挟持片間に形成する構成を採用することができる。
【００１９】
上記構成によると、位置決め手段の嵌合孔および突起は、いずれも２条の装着孔間および一対の挟持片間に形成されるので、位置決め手段用の特別のスペースが不要となり、コンパクトな保持具および取付板を提供することができる。
【００２０】
さらに、取付板の２条の装着孔の間に位置決め手段を構成する複数の嵌合孔を配列し、前記保持具の基部のうち、一対の挟持片間に前記嵌合孔に嵌合可能な位置決め手段としての第1の突起を形成し、さらに、前記基部の係止爪間に前記嵌合孔に嵌合可能な別の位置決め手段としての第２の突起を形成する構成を採用することができる。
【００２１】
上記構成によると、保持具の挟持片を取付板の表面側から装着孔に装着する場合も、保持具の係止爪を取付板の裏面側から装着孔に装着する場合も、いずれも突起と嵌合孔とにより、保持具と取付板との位置決めを容易に行うことができる。
【００２２】
前記装着孔は、取付板の左右両側および上下両側のうち、少なくとも2箇所に形成し、前記保持具は前記各装着孔に装着可能に複数個設けることができる。これにより、被保持体に対して保持具を複数箇所で保持させることができ、被保持体の種々の態様に対応することができる。
【００２３】
この場合、取付板の装着孔に相応する取付板の外縁部の一部に被保持体の外形に沿う凹状に形成する構成を採用することができる。これにより、被保持体の外形形状に合わせて取付板を強固に取り付けることができる。
【００２４】
被保持体としては、特に限定されるものではないが、長尺物に適用するのが好ましく、具体的には、被保持体がガスメータの配管であり、前記機器が前記配管に取付るための付属機器である態様を例示することができる。これにより、ガスメータの配管に通信端末装置等の付属機器を容易に取り付けることができる。
【発明の効果】
【００２５】
以上のとおり、本発明によると、取付板の長孔状の装着孔に、被保持体の保持位置に合わせて移動可能に保持具の脚部を嵌合し、位置決め手段により保持具を位置決めし、取付板に通信端末装置などの機器を取り付ければ、被保持体に機器を容易に取り付けることができる。この際、取付板の装着孔を長孔状に形成し、保持具の装着位置に自由度を持たせているので、いろいろな位置に合わせて取付板を取り付けることができ、取付性を高めることができる。
【図面の簡単な説明】
【００２６】
【図１】本発明の実施形態を示す機器取付装置をガスメータの配管への通信端末装置の取付装置に適用した例を示し、取付板を裏面側からみた分解斜視図である。
【図２】図１の取付板を表面側からみた分解斜視図である。
【図３】異なるガスメータの配管へ取付板の取付状態を裏面側からみた分解斜視図である。
【図４】図３の取付板を表面側からみた分解斜視図である。
【図５】さらに異なるガスメータの配管への取付板の取付状態を表面側からみた分解斜視図である。
【図６】図５の取付板の取付状態を側面からみた部分断面図である。
【発明を実施するための形態】
【００２７】
以下、本発明に係る実施形態を図面に基づいて説明する。図１および図２はガスメータの配管への通信端末装置の取付装置を示す図である。
【００２８】
図１において、機器取付装置は、取付板１０と保持具３０とを備えている。保持具３０は２個設けられ、これらは同一形状である。ガスメータ５０には配管６０が接続され、この配管６０に取付板１０を取り付けるために保持具３０が用いられる。
【００２９】
取付板１０は、樹脂又は金属により矩形に形成されたもので、周縁に補強用のリブが形成されている。図２に示すように、取付板１０の中央部は通信端末装置７０を取り付ける取付スペースが確保されており、その上下部にそれぞれ複数個の機器取付孔２７が形成され、取付位置を選択できるようになっている。
【００３０】
また、取付板１０の左右側部には縦方向に長孔状の２条の装着孔１１，１２が夫々形成され、また、取付板の上部には横方向に長孔状の２条の装着孔１３が形成されている。
【００３１】
各装着孔１１，１２，１３は、互いに平行でかつ直線的な長孔状のものが２条形成され、保持具３０の一部を嵌合装着して長孔に沿って移動可能に案内できるようになっている。２条の装着孔の間隔は、保持具３０の一対の挟持片３２を貫通して装着できるよう保持具３０の板状の基部３１の幅とほぼ同寸法の間隔に設定されている。
【００３２】
各装着孔１１，１２，１３の延長上にある取付板１０の周縁リブには、配管６０の外形に沿うように円弧状の凹部が形成されている（以下、円弧状外縁部１４〜１９という）。さらに、各装着孔１１，１２，１３の長孔方向で中央付近に、前記円弧状外縁部１４〜１９の凹部形状と同一形状の凹部形状を有する突起部２０，２１，２２が２条の装着孔間に形成されている。
【００３３】
保持具３０は、板状の基部３１と、該基部３１の両側から突出する一対の挟持片３２とを備えている。各挟持片３２は、ガスメータの配管を両側から挟持できるように、中央部が外側に膨らんだＣ字状に形成され、互いに近接離間する方向で弾性変形可能とされ、ガスメータの配管６０を挟持する保持部として機能する。挟持片３２の先端は配管６０に取り付けるとき、配管６０の径方向で拡がりやすくするため、やや外側に広がった形状とされている。この一対の挟持片３２が、間隔をおいて形成された２条の装着孔１１，１２，１３に取付板１０の表面側から嵌合して、裏面側に突出可能とされている。したがって、２条の装着孔１１，１２，１３の間隔は、一対の挟持片３２の間隔とほぼ同寸法に設定されている。
【００３４】
基部３１の挟持片３２の突出面とは反対側に一対の係止爪３４が突出形成され、該係止爪３４が取付板１０の裏面側から前記２条の装着孔１１，１２，１３に係脱可能に係止される。したがって、本例では、保持具３０は、板状の基部３１を挟んで、片側に前記一対の挟持片３２が突出形成され、他側に一対の係止爪３４が突出形成され、全体としてＨ形状に形成されている。
【００３５】
係止爪３４は、その先端外向きに鉤形に形成され、互いに近接離間する方向に弾性変形可能とされる。また、一対の係止爪３４の間隔は、２条の装着孔１１，１２，１３の間隔に合わせてほぼ同寸法に設定される。そして、係止爪３４は、互いに近接する方向で弾性変形させて装着孔１１，１２，１３に挿入後、その復元力により各装着孔１１，１２，１３の外側の孔壁に係止できるようになっている。
【００３６】
また、保持具３０を装着孔１１，１２，１３に装着した状態で保持具３０を位置決めする位置決め手段が設けられている。この位置決め手段は、嵌合孔２４と該嵌合孔に嵌合可能な突起３３とから構成される。
【００３７】
嵌合孔２４は、取付板の２条の装着孔１１，１２，１３の間に装着孔の長孔方向に複数個間隔をおいて配列されている。一方、保持具３０の基部３１のうち、一対の挟持片３２間には嵌合孔２４に嵌合可能な第1の突起３３が形成されている。
【００３８】
さらに、基部３１の一対の係止爪３４間に前記嵌合孔２４に嵌合可能な別の位置決め手段としての第２の突起３５が形成されている。
【００３９】
この第２の突起３５には、図６に示すように、リブ３６が付設され、該リブ３６を取付板１０に裏面に当接することで、取付板１０の係止性を高めるようにしている。すなわち、リブ３６の高さが係止爪３４の鉤部の位置よりも若干基部側に設定され、リブ３６の頂部と係止爪３４の鉤部との間で取付板１０の板面を挟持するようになっている。
【００４０】
また、図６に示すように、第１の突起３３は、保持具３０を取付板１０の裏面側より装着孔１１，１２，１３に装着して使用する場合、配管６０と基部３１の間に生じる空隙を詰める高さに設定され、配管６０の保持性を高めるようになっている。
【００４１】
上記構成において、図１，２に示すガスメータの配管６０に通信端末機器を取り付ける場合、取付板１０の上部で、右側の円弧状外縁部１９と突起２２を水平方向の配管６０に合わせ、同じく下縁の円弧状外縁部１５と左側装着孔１１側の突起２０とを、垂直方向の配管６０に合わせ、取付板１０の位置を決める。
【００４２】
次に、保持具３０の一対の挟持片３２を取付板１０の前方から上側の２条の装着孔１３に装着すると共に、もう一つの保持具３０の一対の挟持片３２を左側の２条の装着孔１１に装着し、各保持具３０の一対の挟持片３２で各々の配管６０を挟持することで、取付板１０が保持される。
【００４３】
ここで、装着孔１１、１３を長孔状としたことで、保持具３０の装着位置に自由度をもたせる一方、装着孔１１、１３に対応して、取付板１０に一定間隔で設けられた複数の嵌合穴２４の中から、所望の嵌合穴２３、２４に保持具３０の基部３１に設けた突起３３を嵌合させることで、装着後の保持具３０の位置を固定することができる。
【００４４】
このように、配管６０に取付板１０を保持した後、図２に示すように、通信端末装置７０を取付板１０にネジ８０により取り付ける。取付板１０には、保持具３０の装着位置などにより、通信端末装置７０の取り付け位置を変えることができるように、上下一対の取付孔２７が複数組準備されている。図１、図２の例では、３組設けられた中の右端の取付孔２７に通信端末装置７０を取り付けている。
【００４５】
図３および図４は、図１および図２とは別のガスメータの配管６０に通信端末装置を取り付けた状態を示す分解斜視図であり、図１及び図２と同じ部位には、同じ符号を付している。
【００４６】
図３において、取付板１０の左右の装着孔１１、１２、それに相応した円弧状外縁部１４〜１７および突起２０、２１は、ガスメータ５０の入口と出口の配管６０に合わせて設けられている。
【００４７】
従って、この例では、円弧状外縁部１５と装着孔１１の中央部の突起２０及び下縁の円弧状外縁部１７と突起２１をガスメータ５０の入口及び出口の配管６０に合わせ、取付板１０の位置を決め、保持具３０の挟持片３２を取付板１０の前方から装着孔１１、１２に装着し、一対の挟持片３２で配管６０を挟持することで、取付板１０が保持される。
【００４８】
このように、ガスメータ５０の入口及び出口の配管６０に取付板１０を保持した後、図４に示すように、通信端末装置７０が、取付板１０に３組設けられた中の中央の取付孔２８にネジ８０により取り付けられる。
【００４９】
図５はさらに別のガスメータの配管に通信端末装置を取り付ける状態を示す分解斜視図であり、図６はその部分断面図であり、図１ないし図４と同じ部位には、同じ符号を付している。
【００５０】
図５において、保持具３０には基部３１に対して挟持片３２とは逆側に係止爪３４及び突起３５が設けられ、さらに突起３５にはリブ３６が付設されている。
【００５１】
この例では、取付板１０の後方（背面側）から保持具３０が装着孔１１，１３に装着される。このとき、係止爪３４の先端鉤部が、装着孔１１、１３の孔壁に係止するとともに、突起３５が装着孔１１，１３の間に配列された嵌合穴２３、２４に嵌合し、取付板１０に対して、保持具３０の位置が固定される。
【００５２】
なお、ここでは、嵌合穴２３、２４を利用しているが、一連の他の嵌合穴を利用することももちろん可能である。そして、保持具３０の挟持片３２が配管を挟持し、取付板１０は、配管６０から離れた位置に保持される。
【００５３】
このように、配管から離れた位置に保持された取付板１０に、図６に示すように通信端末装置７０がネジ８０により取り付けられる。
【００５４】
また、図６に示すように、挟持片３２と同じ側に設けられた第１の突起３３により、配管６０と基部３１の間に生じる空隙を詰めることで、配管６０の保持性を高めている。さらに、係止爪３４と同じ側に設けられた第２の突起３５に付設したリブ３６を、取付板１０の裏面に当接することで、取付板１０の係止性を高めている。
【００５５】
なお、本発明は、上記実施形態に限定されるものではなく、本発明の範囲内で多くの修正・変更を加えることができるのは勿論である。例えば、上記実施形態では、ガスメータの配管に通信端末装置を取り付ける例を示したが、これに限らず、他の被保持体（例えば、水道配管や電気配線ケーブルの保護管）に通信端末装置等の機器を取り付ける場合にも本発明を適用できるのは勿論である。
【００５６】
また、位置決め手段として、取付板の２条の装着孔の間に複数個の嵌合孔を形成し、また、保持具の基部側に突起を形成した例を示したが、これとは逆に、嵌合孔を保持具の基部に形成し、突起を取付板の２条の装着孔間に形成してもよい。また、突起や嵌合孔の位置は２条の装着孔の間に限らず、装着孔の近辺ならば、特に限定されるものではない。
【００５７】
また、装着孔は２条の装着孔に限らず、１条のものであってもよい。この場合の保持具の装着孔に装着する部分についても保持具の基部の一部を係合する方式であればよい。要するに、保持具が装着孔に沿って位置合わせができるように移動可能で、かつ位置決め手段により所望の位置に位置決めできる構成であればよい。
【符号の説明】
【００５８】
１０  取付板
１１〜１３  装着孔
１４〜１９  円弧状外縁部
３０  保持具
３２  挟持片
３４  係止爪
５０  ガスメータ
６０  配管
７０  通信端末装置
【図１】
2011232240.tif 000003
【図２】
2011232240.tif 000004
【図３】
2011232240.tif 000005
【図４】
2011232240.tif 000006
【図５】
2011232240.tif 000007
【図６】
2011232240.tif 000008